(57)【要約】      （修正有）【課題】接続の操作が容易でありかつ低背化したフラットケーブルコネクタを提供する。【解決手段】フラットケーブルコネクタ１は、ハウジング１１と、コンタクト１２と、カバー部材１４とを備える。ハウジング１１は、回路基板に下面を対向させた状態で回路基板に固定される板状であり、ＦＰＣ８の、端子パターンが形成された端子面８ａと対向する上面を有する。コンタクト１２は、ハウジング１１の上面から一部が突出した状態でハウジング１１に収容されている。カバー部材１４は、ＦＰＣ８の端子面８ａとは反対側の上面８ｂに、ＦＰＣ８よりもフラットケーブルの幅方向Ｗ両側にはみ出た状態で固着される。カバー部材１４は、ＦＰＣ８をハウジング１１との間に挟む板状である。カバー部材１４は、ＦＰＣ８からはみ出た部分１４ｙから折曲がって延びた、ハウジング１１の側面に係止する係止片１４３ａ，１４３ｂを有する。【選択図】図２
2014093123.tif 000002
【特許請求の範囲】
【請求項１】
端子面上に端子パターンが形成されたフラットケーブルと回路基板とを電気的に接続するフラットケーブルコネクタであって、
前記回路基板に下面を対向させた状態で該回路基板に固定される板状であり、前記フラットケーブルの、前記端子パターンが形成された端子面と対向する上面を有するハウジングと、
前記ハウジングの上面から一部が突出した状態で該ハウジングに収容された、前記端子パターンと接触するコンタクトと、
前記フラットケーブルの端子面とは反対側の面に、該フラットケーブルよりも該フラットケーブルの幅方向両側にはみ出た状態で固定される、前記ハウジングとの間に前記フラットケーブルを挟む板状のカバー部材とを備え、
前記カバー部材は、該カバー部材の前記フラットケーブルからはみ出た部分から折曲がって延びた、該ハウジングの側面に係止する係止片を有するものであることを特徴とするフラットケーブルコネクタ。
【請求項２】
前記カバー部材が、導電性材料で形成されたものであることを特徴とする請求項１記載のフラットケーブルコネクタ。
【請求項３】
前記ハウジングは、導電性の係止爪を有し、
前記カバー部材の前記係止片が前記係止爪と係止することにより、前記カバー部材及び前記回路基板が導電接続されることを特徴とする請求項２記載のフラットケーブルコネクタ。
【発明の詳細な説明】
【技術分野】
【０００１】
本発明は、フラットケーブルコネクタに関する。
【背景技術】
【０００２】
従来より、フレキシブルフラットケーブル（ＦＦＣ：Ｆｌｅｘｉｂｌｅ  Ｆｌａｔ  Ｃａｂｌｅ）やフレキシブルプリント回路（ＦＰＣ：Ｆｌｅｘｉｂｌｅ  Ｐｒｉｎｔｅｄ  Ｃｉｒｃｕｉｔ）に代表されるフラットケーブルを回路基板に接続するためのフラットケーブル用コネクタが知られている。例えば、特許文献１には、ＦＰＣ接続用の電気コネクタが示されている。この電気コネクタに接続されるＦＰＣの端部には、金属製の補強板が接合されている。電気コネクタには、ＦＰＣを固定するための一対の固定金具が設けられている。固定金具は、ＦＰＣの両サイドに相当する部分に立設している。電気コネクタの、一対の固定金具の間の領域にＦＰＣを押し込むと、固定金具がＦＰＣおよび補強板に押し退けられて変形する。ＦＰＣが完全に押し込まれると、固定金具が変形から復帰して固定金具の上面に係止する。
【０００３】
また、特許文献２には、コンタクトがハウジングの側面から突出した電気コネクタが示されている。ＦＰＣを接続する際には、ハウジングに載せたＦＰＣの上から、ハウジングの外形に相応した枠状のカバー部材を押し付けると、ＦＰＣがハウジングの形状に添って折れ曲がる。ＦＰＣは、ハウジングの側面に対応する部分ではこの側面に沿って略垂直に曲がり、コンタクトと接触する。
【先行技術文献】
【特許文献】
【０００４】
【特許文献１】実開平６−６００８１号公報
【特許文献２】特開平９−１６１８６３号公報
【発明の概要】
【発明が解決しようとする課題】
【０００５】
特許文献１の電気コネクタは、固定金具がＦＰＣに接合された補強板の上面に係止する構造を有するため、電気コネクタが高背化する。また、特許文献２の電気コネクタは、カバー部材を押し付け、ＦＰＣを折り曲げることによって接続をするので、操作の力が大きく、操作が容易でない。また、ＦＰＣが折れ曲がるため、信頼性が低下するおそれもある。
【０００６】
本発明は上記問題点を解決し、接続操作が容易でかつ低背化したフラットケーブルコネクタを提供することを目的とするものである。
【課題を解決するための手段】
【０００７】
上記目的を達成する本発明のフラットケーブルコネクタは、端子面上に端子パターンが形成されたフラットケーブルと回路基板とを電気的に接続するフラットケーブルコネクタであって、
上記回路基板に下面を対向させた状態でこの回路基板に固定される板状であり、上記フラットケーブルの、上記端子パターンが形成された端子面と対向する上面を有するハウジングと、
上記ハウジングの上面から一部が突出した状態でこのハウジングに収容された、上記端子パターンと接触するコンタクトと、
上記フラットケーブルの端子面とは反対側の面に、このフラットケーブルよりもこのフラットケーブルの幅方向両側にはみ出た状態で固定される、上記ハウジングとの間に上記フラットケーブルを挟む板状のカバー部材とを備え、
上記カバー部材は、このカバー部材の上記フラットケーブルからはみ出た部分から折曲がって延びた、このハウジングの側面に係止する係止片を有するものであることを特徴とする。
【０００８】
本発明のフラットケーブルコネクタでは、板状のカバー部材とハウジングの上面との間にフラットケーブルが挟まれる。また、カバー部材の係止片がハウジングの側面に係止する。カバー部材とハウジングとの係止がカバー部材の上ではなく、回路基板の側面で実施されるため、フラットケーブルコネクタが低背化する。しかも、フラットケーブルはほとんど変形することなく、ハウジングの上面に突出したコンタクトと接触する。したがって、操作の力が低減され、操作が容易である。また、フラットケーブルの変形が抑えられるため信頼性が向上する。
【０００９】
ここで、上記本発明のフラットケーブルコネクタにおいて、上記カバー部材は、導電性材料で形成されたものであることが好ましい。
【００１０】
カバー部材が導電性を有することにより、電磁放射や外来ノイズの影響が低減される。
【００１１】
また、上記フラットケーブルコネクタにおいて、
上記ハウジングが、導電性の係止爪を有し、
上記カバー部材の上記係止片が上記係止爪と係止することにより、上記カバー部材及び上記回路基板が導電接続されることが好ましい。
【００１２】
係止片及び係止爪が、カバー部材をハウジングに固定するとともに、カバー部材と回路基板とを導電接続するので、カバー部材を導電接続するための専用の部材が不要である。
【発明の効果】
【００１３】
以上説明したように、本発明によれば、接続操作が容易でかつ低背化したフラットケーブルコネクタが実現する。
【図面の簡単な説明】
【００１４】
【図１】本発明のフラットケーブルコネクタの一実施形態を示す斜視図である。
【図２】図１に示すコネクタの分解斜視図である。
【図３】図２に示すハウジングの拡大斜視図である。
【図４】図３に示すハウジングの４−４線断面を、対応するカバー部材およびＦＰＣの断面とともに示す断面図である。
【図５】図３に示すハウジングの５−５線断面を、対応するカバー部材およびＦＰＣの断面とともに示す断面図である。
【図６】ＦＰＣがコネクタに接続された状態における、図３に示す位置の断面を示す断面図である。
【図７】ＦＰＣがコネクタに接続された状態における、図４に示す位置の断面を示す断面図である。
【発明を実施するための形態】
【００１５】
以下図面を参照して本発明の実施の形態を説明する。
【００１６】
図１は、本発明のフラットケーブルコネクタの一実施形態を示す斜視図である。
【００１７】
図１に示すフラットケーブルコネクタ１（以降、単にコネクタ１と称する）は、ＦＰＣ８と回路基板９とを電気的に接続するコネクタである。
【００１８】
ＦＰＣ８は、柔軟性を有する帯状のケーブルである。ＦＰＣ８は、例えば樹脂製フィルム表面に導体パターンが設けられた構造を有する。ＦＰＣ８の構造として、樹脂製フィルムおよび導体パターンは複数組積層された構造も採用され得る。
【００１９】
本実施形態のコネクタ１には、ＦＰＣ８の端部分が接続される。接続状態において、コネクタ１からＦＰＣ８が延びる向き前方Ｆと称し、その反対向き、すなわちＦＰＣ８の端の側を後方Ｂと称する。
【００２０】
ＦＰＣ８の、図１に示された上面８ｂとは反対の下面である端子面８ａ上には、端子パターン８１（図４参照）が設けられている。端子パターン８１（図４参照）は、端子面８ａを延びた導体パターンの端部である。ただし、ＦＰＣが、複数の樹脂製フィルムおよび導体パターンの積層構造からなる場合には、端子パターン８１（図４参照）は、複数の樹脂製フィルムに挟まれた導体パターンとスルーホール等を介して電気的に結合された、導体であってもよい。なお、端子パターンは、端子面８ａとは反対の上面８ｂにも配置されていてもよい。
【００２１】
図２は、図１に示すコネクタ１の分解斜視図である。
【００２２】
コネクタ１は、ハウジング１１、コンタクト１２、およびカバー部材１４を備えている。なお、図２には、ＦＰＣ８も示されている。ＦＰＣ８の端部は、カバー部材１４とハウジング１１との間に挟まれる。
【００２３】
［ハウジング］
図３は、図２に示すハウジング１１の拡大斜視図である。また、図４は、図３に示すハウジング１１の４−４線断面を、対応するカバー部材１４およびＦＰＣ８の断面とともに示す断面図である。また、図５は、図３に示すハウジング１１の５−５線断面を、対応するカバー部材１４およびＦＰＣ８の断面とともに示す断面図である。
【００２４】
ハウジング１１は、絶縁性の樹脂材料で形成された概略矩形の板状である。ハウジング１１は、下面１１ａを回路基板９（図１参照）に対向させた状態に配置される。ハウジング１１の上面１１ｂは、ＦＰＣ８の、端子パターン８１が形成された端子面８ａに対向する。
【００２５】
ハウジング１１の上面１１ｂには、一対の位置決め突起１１１が設けられている。一対の位置決め突起１１１は、ＦＰＣ８の幅に応じた間隔をおいて配置されている。これに対し、図２に示すように、ＦＰＣ８の幅方向Ｗの両側縁には、位置決め突起１１１が入り込む切欠き８ｐが設けられている。なお、以降も、ＦＰＣ８の、コネクタ１に接続される姿勢における幅方向Ｗを用いて、各部の方向を説明する。
【００２６】
ハウジング１１の位置決め突起１１１は、ＦＰＣ８がハウジング１１の上面１１ｂに載る際に、切欠き８ｐに入り込むことによって、ＦＰＣ８をハウジング１１に対し位置決めする。
【００２７】
［コンタクト］
ハウジング１１の側面のうち、幅方向Ｗに沿った側面１１ｃには、コンタクト収容溝１１ｐが設けられている。コンタクト収容溝１１ｐにはコンタクト１２が収容されている。コンタクト１２は、２列に並んで配置されている。コンタクト１２の各列は、幅方向Ｗに延びている。
【００２８】
コンタクト１２は、導電性の金属板を打抜き加工および折曲げ加工することによって形成されている。コンタクト１２は、基板接続部１２１、圧入部１２２、弾性変形部１２３、および接触部１２４を有する。基板接続部１２１は、ハウジング１１の下面１１ａに露出している。基板接続部１２１は、回路基板９（図１参照）の図示しない導体パターンに半田接続される。圧入部１２２は、ハウジング１１のコンタクト収容溝１１ｐに圧入固定される部分である。ハウジング１１に圧入されたコンタクト１２の基板接続部１２１が回路基板９（図１参照）に半田接続されることによって、ハウジング１１が回路基板９（図１参照）に間接的に固定される。弾性変形部１２３は、圧入部１２２と接触部１２４との間に設けられており、接触部１２４が受ける外力に応じて弾性変形する。接触部１２４は、ＦＰＣ８の端子パターン８１と接触する部分である。コンタクト１２は、接触部１２４がハウジング１１の上面１１ｂから突出した状態でハウジング１１に収容されている。
【００２９】
［係止部］
ハウジング１１は、８つの係止部１３ａ，１３ｂを備えている。８つの係止部１３ａ，１３ｂは、ハウジング１１の側面１１ｃ，１１ｄに設けられている。８つの係止部１３ａ，１３ｂのそれぞれは、より詳細には係止爪であり、ハウジング１１に固定された導電性の金属片（ペグ）で形成されている。
【００３０】
８つの係止部１３ａ，１３ｂのうち、４つの第１係止部１３ａは、コンタクト１２からなる２つの列のそれぞれの、延長線上両側に配置されている。第１係止部１３ａのそれぞれは、ハウジング１１の幅方向Ｗに沿って延びる側面１１ｃに配置されている。各第１係止部１３ａは、基板接続部１３１、圧入部１３２、および係止爪部１３３を有する。基板接続部１３１は、回路基板９（図１参照）に半田接続される部分である。また、圧入部１３２は、ハウジング１１に圧入固定される部分である。係止爪部１３３は、ハウジング１１の側面１１ｃから、幅方向Ｗとは略垂直方向に鉤状に突出している。ハウジング１１に圧入された係止部１３ａが、回路基板９（図１参照）に半田接続されることによって、ハウジング１１が回路基板９（図１参照）に間接的に固定される。
【００３１】
８つの係止部１３ａ，１３ｂのうち、残り４つの第２係止部１３ｂは、第２係止部１３ｂは、第１係止部１３ａよりも、幅方向Ｗにおける外側に配置されている。第２係止部１３ｂのそれぞれは、第１係止部１３ａと同様の構成を有する金属片である。ただし、第２係止部１３ｂは、途中で折れ曲がった形状を有している。第２係止部１３ｂは、ハウジング１１の幅方向Ｗと略垂直に延びる側面１１ｄから幅方向Ｗに突出している。
【００３２】
［カバー部材］
カバー部材１４は、端の一部が折れ曲った板状の部材である。図２に示すように、カバー部材１４は、ＦＰＣ８の幅よりも長い矩形状である。図２では、カバー部材１４がＦＰＣ８から離れた状態が示されている。ただし、ＦＰＣ８がコネクタ１と接続される過程では、予め、カバー部材１４がＦＰＣ８に固着される。また、ハウジング１１が回路基板９（図１参照）に固定される。この後、カバー部材１４が固着したＦＰＣ８が、ハウジング１１に接続される。
【００３３】
カバー部材１４は、ＦＰＣ８の端子面８ａとは反対側の面である上面８ｂに固着される。より詳細には、カバー部材１４は、ＦＰＣ８に接着される。カバー部材１４は、このカバー部材１４の両端部分が、ＦＰＣ８から幅方向Ｗの両側にはみ出た状態でＦＰＣ８に接着される。カバー部材１４の、ＦＰＣ８からはみ出た部分をはみ出し部１４ｙと称する。
【００３４】
カバー部材１４は、導電性の金属板を打抜き加工、印圧加工および折曲げ加工することによって形成されている。カバー部材１４には、ハウジング１１の位置決め突起１１１が入り込むガイド孔１４１が設けられている。位置決め突起１１１とガイド孔１４１によって、接続時の移動が案内される。また、カバー部材１４には、印圧加工により形成された、上向きに膨らんだ２本の突条１４２が幅方向Ｗに延びている。突条１４２によって、カバー部材１４が補強されるので、カバー部材１４の変形が低減する。
【００３５】
また、カバー部材１４は、４か所に設けられた第１係止片１４３ａと、４か所に設けられた第２係止片１４３ｂを有する。第１係止片１４３ａは、ハウジング１１に取り付けられた第１係止部１３ａに係止し、第２係止片１４３ｂは第２係止部１３ｂに係止する。これら係止片１４３ａ，１４３ｂは、カバー部材１４のはみ出し部１４ｙの縁から折れ曲りハウジング１１に向かって（すなわち下向きに）延びた部分である。
【００３６】
４つの第１係止片１４３ａのうち前方Ｆに配置された２つの第１係止片１４３ａは、カバー部材１４の、前方Ｆの縁１４ｅにおける両端部分、すなわち幅方向Ｗ両側にあるはみ出し部１４ｙの縁から下向きに延びている。また、後方Ｂに配置された第１係止片１４３ａは、カバー部材１４の、後方Ｂの縁１４ｆから下向きに延びている。後方Ｂの第１係止片１４３ａは、幅方向Ｗの２か所に設けられたはみ出し部１４ｙから延びているが、これら後方Ｂの第１係止片１４３ａは、後方Ｂの縁１４ｆ全体に亘り続いた一体の突片である。４か所に配置された第１係止片１４３ａのそれぞれには、ハウジング１１に固定された第１係止部１３ａが入り込む係止孔ｈが設けられている。
【００３７】
第２係止片１４３ｂは、カバー部材１４の幅方向Ｗの両端の縁１４ｇ，１４ｈから折れ曲りハウジング１１に向って（すなわち下向きに）延びた部分である。４つの第２係止片１４３ｂのうちの２つは一方の縁１４ｇから延びており、残り２つは他方の縁１４ｈから延びている。上記一方の縁１４ｇから延びた第２係止片１４３ｂは、縁１４ｇにおける前方Ｆおよび後方Ｂの２か所から延びているが、本実施形態の第２係止片１４３ｂは、縁１４ｇの全体に亘り続いた一体の突片である。他方の縁１４ｈについても、第２係止片１４３ｂは、前方Ｆ寄りおよび後方Ｂ寄りの２か所から延びているが、これら第２係止片１４３ｂは、縁１４ｈの全体に亘り続いた一体の突片である。４つの第２係止片１４３ｂのそれぞれには、ハウジング１１に固定された第２係止部１３ｂが入り込む係止孔ｈが設けられている。なお、各第２係止片１４３ｂの先端は、さらに折り返して上向きに延びている。折り返しにより、変形に対する強度が向上する。
【００３８】
［接続状態］
図６は、ＦＰＣがコネクタ１に接続された状態における、図３に示す位置の断面を示す断面図である。また、図７は、ＦＰＣがコネクタ１に接続された状態における、図４に示す位置の断面を示す断面図である。
【００３９】
図４および図５に示したようにカバー部材１４が接着されたＦＰＣ８が、ハウジング１１に向かって下向きに移動すると、ＦＰＣ８の端子パターン８１が、コンタクト１２の接触部１２４と接触する。ＦＰＣ８がさらに下向きに押されると、図６に示すように、ＦＰＣ８がコンタクト１２を押し込み、コンタクト１２の弾性変形部１２３が弾性変形する。また、図７に示すように、カバー部材１４の第１係止片１４３ａが、ハウジング１１の側面１１ｃ（図３参照）から突出した、第１係止部１３ａの係止爪部１３３に係止する。また、コンタクト１２の第２係止片１４３ｂ（図２参照）が、ハウジング１１に固定された第２係止部１３ｂ（図２参照）に係止する。したがって、カバー部材１４およびＦＰＣ８が、ハウジング１１に対し抜止めされる。また、図６に示すように、コンタクト１２の接触部１２４は、弾性変形部１２３の弾性力によって、ＦＰＣ８の端子パターン８１に加圧される。したがって、確実な接触状態が維持される。この結果、コンタクト１２の接触部１２４は、コンタクト１２を介して回路基板９（図１参照）の導体パターン（図示しない）と電気的に接続される。また、ＦＰＣ８は、導電性材料からなるカバー部材１４に覆われる。カバー部材１４は電磁シールドとして機能するため、電磁放射や外来ノイズの影響が低減される。
【００４０】
ＦＰＣ８が接着されたカバー部材１４は、４つの第１係止片１４３ａおよび４つの第１係止部１３ａによって四隅近傍がハウジング１１に係止するので、コンタクト１２のそれぞれが互いに均等な力でＦＰＣ８の端子パターン８１に当たる。また、カバー部材１４は、さらに第２係止片１４３ｂおよび第２係止部１３ｂによってハウジング１１に係止するので、より強固に抜止めされる。
【００４１】
また、上記の係止片１４３ａ，１４３ｂが、係止部１３ａ，１３ｂの係止爪部１３３にそれぞれ係止することによって、カバー部材１４と回路基板９（図１参照）とが導電接続される。このため、本実施形態のコネクタ１では、カバー部材１４と回路基板９（図１参照）とを導電接続するための専用の部材は不要である。
【００４２】
本実施形態のコネクタ１では、第１係止片１４３ａおよび第２係止片１４３ｂの双方がＦＰＣ８上のカバー部材１４の縁からハウジング１１に向かって延びている。第１係止片１４３ａおよび第２係止片１４３ｂの双方は、ハウジング１１の側面１１ｃ、１１ｄに係止する。したがって、係止構造がコンタクト１２と同じ高さに配置されており、ＦＰＣ８の上には存在しない。よって、コネクタ１は、例えば、係止構造がカバー部材の上方に設けられた構成と比べて低背化する。
【００４３】
また、本実施形態のコネクタ１は、ＦＰＣ８を変形させずに平板形状を維持させたまま接続する。したがって、接続時にＦＰＣを変形させる構成と比べて、接続時の力が低減される。よって、接続操作が容易である。また、ＦＰＣ８を変形させないため、信頼性が向上する。
【００４４】
また、ＦＰＣ８には、ハウジング１１に接続される前に、カバー部材１４が接着される。このため、接続作業のときに、ＦＰＣ８とカバー部材１４とを別々に保持する必要が無い。したがって、接続作業が簡易化される。
【００４５】
本実施形態においてＦＰＣ８を取り外す場合には、第１係止片１４３ａおよび第２係止片１４３ｂのそれぞれとハウジング１１との間に治具を差し込んで係止を解除する。取り外されたＦＰＣ８は折れ曲がっておらず、取付け前と同じ形状を有する。したがって、ＦＰＣ８を取り外し、再度接続することが容易である。
【００４６】
なお、上述した実施形態には、本発明にいう係止片の例として、４つの第１係止片１４３ａおよび４つの第２係止片１４３ｂが示されている。ただし、本発明はこれに限られるものではなく、例えば、第１係止片または第２係止片のいずれかが設けられたものであってもよい。また、それぞれの係止片の数は、２または３であってもよく、５以上であってもよい。
【００４７】
また、実施形態には、本発明にいう係止片の例として、ハウジングに固定された金属製の係止部１３ａ，１３ｂと係止する第１係止片１４３ａおよび第２係止片１４３ｂが示されている。ただし、本発明はこれに限られるものではなく、例えば、係止片が係止する相手は、ハウジングと一体成形された突起であってもよい。また、実施形態には、本発明にいう係止片の例として、係止孔ｈが設けられた第１係止片１４３ａおよび第２係止片１４３ｂが示されている。ただし、本発明はこれに限られるものではなく、係止片は、例えば、ハウジングに設けられた凹部に係止する鉤を有するものであってもよい。
【００４８】
また、上述した実施形態では、本発明にいう係止片の例として、カバー部材１４の縁１４ｆ、１４ｇ、１４ｈに亘って繋った第１係止片１４３ａおよび第２係止片１４３ｂが示されている。ただし、本発明はこれに限られるものではなく、例えば、係止片は前方Ｆの縁１４ｅから延びた第１係止片１４３ａのように、互いに離れたものであってもよい。実施形態のコネクタ１は、ＦＰＣ８の端部に接続されるが、例えば帯状のＦＰＣの途中に接続される場合には、後方の縁から延びる係止片も前方のものと同様に互いに離れたものであることが好ましい。
【００４９】
また、上述した実施形態には、ＦＰＣ８と接続されるコネクタ１が示されている。ただし、本発明はこれに限られるものではなく、コネクタと接続されるものは、例えばＦＦＣであってもよい。
【００５０】
また、上述した実施形態には、本発明にいうカバー部材の例として、導電性の材料からなるカバー部材１４が示されている。ただし、本発明はこれに限られるものではなく、例えば、カバー部材は絶縁性のものであってもよい。
【００５１】
また、上述した実施形態には、ＦＰＣの例として、下面に端子パターン８１が設けられたＦＰＣが示されている。ただし、本発明はこれに限られるものではなく、フラットケーブルは、例えば、上面にも、カバー部材と接触するグランドパターン、電力用または信号用の導体パターンが設けられたものであってもよい。この場合、カバー部材１４及び係止部（ペグ）１３ａ，１３ｂを介してＦＰＣ８及び回路基板９を導通させることができる。
【００５２】
さらに、ＦＰＣ８及びカバー部材１４の固定は、接着剤による固着以外に、圧着等の機械的手段による固定であってもよい。
【符号の説明】
【００５３】
１    コネクタ（フラットケーブルコネクタ）
１１    ハウジング
１１ａ    下面
１１ｂ    上面
１１ｃ，１１ｄ    側面
１２    コンタクト
１２１    基板接続部
１２２    圧入部
１２３    弾性変形部
１２４    接触部
１３ａ，１３ｂ    係止部
１４    カバー部材
１４ｅ，１４ｆ，１４ｇ，１４ｈ    縁
１４ｙ    はみ出し部
１４３ａ，１４３ｂ    係止片
８    ＦＰＣ
８ａ    端子面
８ｂ    上面
８１    端子パターン
９    回路基板
【図１】
2014093123.tif 000003
【図２】
2014093123.tif 000004
【図３】
2014093123.tif 000005
【図４】
2014093123.tif 000006
【図５】
2014093123.tif 000007
【図６】
2014093123.tif 000008
【図７】
2014093123.tif 000009